(57)【要約】【課題】  本発明は、非接触型ＩＤタグが付加されたラベルにおいて、使用後に情報の読取りを不可能にすることが可能な分割ラベルを提供することを目的とする。【解決手段】  上記課題を解決するため、本発明の分割ラベルでは、  ラベル基材の裏面に粘着層を備えるとともに、当該ラベル基材は複数の領域から構成され、識別対象である個体に貼付した状態で第一領域から隣接する第二領域をその境界にて分割することが可能な分割ラベルであって、  前記個体の識別情報を記憶したＩＣチップと、当該ＩＣチップに接続され、外部機器との間で非接触通信により前記識別情報の送受信を行うアンテナと、を有する非接触型ＩＤタグが、前記ラベル基材の裏面に設置されてなるとともに、  前記アンテナは、前記第一領域と前記第二領域との境界を跨いで形成され、前記第二領域の分割に伴い切断されることを特徴とする。【選択図】        図１
2005258351.tif 000002
【特許請求の範囲】
【請求項１】
ラベル基材の裏面に粘着層を備えるとともに、当該ラベル基材は複数の領域から構成され、識別対象である個体に貼付した状態で第一領域から隣接する第二領域をその境界にて分割することが可能な分割ラベルであって、
前記個体の識別情報を記憶したＩＣチップと、当該ＩＣチップに接続され、外部機器との間で非接触通信により前記識別情報の送受信を行うアンテナと、を有する非接触型ＩＤタグが、前記ラベル基材の裏面に設置されてなるとともに、
前記アンテナは、前記第一領域と前記第二領域との境界を跨いで形成され、前記第二領域の分割に伴い切断されることを特徴とする分割ラベル。
【請求項２】
前記ＩＤタグは、前記ＩＣチップ及び前記アンテナを支持するため、これらと一体的に形成された支持シートを有することを特徴とする請求項１に記載の分割ラベル。
【請求項３】
前記支持シートには、前記第一領域と前記第二領域との境界上に切取り線が形成されてなることを特徴とする請求項２に記載の分割ラベル。
【請求項４】
前記アンテナは、前記支持シートの切取り線のうちの非切断部上に形成されてなることを特徴とする請求項３に記載の分割ラベル。
【請求項５】
前記支持シートには、前記第一領域と前記第二領域との境界上の少なくとも一方の端部に切り込みが形成されてなることを特徴とする請求項２に記載の分割ラベル。
【請求項６】
前記支持シートは、透明、又は前記ラベル基材の裏面と対向する面とは反対側の面が当該ラベル基材の裏面と同色にて構成されてなることを特徴とする請求項２ないし５のいずれか１項に記載の分割ラベル。
【請求項７】
前記アンテナは、前記ラベル基材の裏面と対向する面とは反対側の面が、当該ラベル基材の裏面と同色にて構成されてなることを特徴とする請求項１ないし６のいずれか１項に記載の分割ラベル。
【請求項８】
前記ラベル基材の裏面上に、当該裏面全体を覆う前記粘着層と、前記ＩＤタグと、当該ＩＤタグを少なくとも覆う被覆粘着層と、がこの順に形成されてなることを特徴とする請求項１ないし７のいずれか１項に記載の分割ラベル。
【請求項９】
前記ラベル基材の裏面上に、当該裏面に直接形成された前記ＩＤタグと、当該裏面全体を前記ＩＤタグとともに覆う前記粘着層と、がこの順に形成されてなることを特徴とする請求項１ないし７のいずれか１項に記載の分割ラベル。
【請求項１０】
前記ＩＤタグは、前記ＩＣチップに接続され、且つ、外部機器との間で接触通信により前記識別情報を送受信可能な、前記ラベル基材の表面に露出した接触用端子を有することを特徴とする請求項１ないし９のいずれか１項に記載の分割ラベル。
【発明の詳細な説明】
【技術分野】
【０００１】
本発明は、分割ラベルに関する。
【背景技術】
【０００２】
従来より、複数の片に分割可能に構成され、それぞれを用途に応じて貼り分けることができる分割ラベルが知られている。このような分割ラベルは、医療物品等の用途に用いられることが多い。例えば、薬液用のアンプルやバイアルでは、その胴部にラベルにて所定の事項を表示することが義務付けられている。かかるラベルにおいて、副片を設け、ここに胴部（主片）に表示された所定の事項と同様の情報を記入しておき、その後、その副片を主片から分割して注射器やカルテなどに別途貼付することで、薬液の誤投与、カルテの記録ミス等の医療ミスの抑制に貢献している。また、現在は、製造番号、使用期限などの情報を、バーコード、２次元コードといったアナログコードを表示ラベルに印字することで設け、製品の生産管理、またその流通管理を行っている。
【０００３】
【特許文献１】特開２０００−１３２１０４号公報
【特許文献２】実開平７−２２６９５号公報
【特許文献３】実用新案登録  第２５４８３２７号
【発明の開示】
【発明が解決しようとする課題】
【０００４】
近年、非接触型ＩＤタグ（例えば、ＲＦＩＤ：Radio Frequency Identificationと称される）が注目されており、ラベルの分野にも適用されつつある。このＩＤタグは、ＩＣチップに大量の情報を記憶させておき、該ＩＣチップに情報の送受信を行う平面状のアンテナを接続する。そして、読取器の発する所定周波数の電波をアンテナで受信すると、この電波に応じて、内部のＩＣチップの記憶情報が当該アンテナを介して読取器へ送信される。
【０００５】
しかしながら、非接触型ＩＤタグが付加されたラベルでは、読取器によって非接触通信で容易に情報を読取ることができるため、例えば、廃棄後のラベルから情報を読取られて、その情報を悪用される畏れがある。
【０００６】
本発明は、上記課題を鑑みてなされたものであり、非接触型ＩＤタグが付加されたラベルにおいて、使用後に情報の読取りを不可能にすることが可能な分割ラベルを提供することを目的とする。
【課題を解決するための手段・発明の効果】
【０００７】
上記課題を解決するため、本発明の分割ラベルでは、
ラベル基材の裏面に粘着層を備えるとともに、当該ラベル基材は複数の領域から構成され、識別対象である個体に貼付した状態で第一領域から隣接する第二領域をその境界にて分割することが可能な分割ラベルであって、
前記個体の識別情報を記憶したＩＣチップと、当該ＩＣチップに接続され、外部機器との間で非接触通信により前記識別情報の送受信を行うアンテナと、を有する非接触型ＩＤタグが、前記ラベル基材の裏面に設置されてなるとともに、
前記アンテナは、前記第一領域と前記第二領域との境界を跨いで形成され、前記第二領域の分割に伴い切断されることを特徴とする。
【０００８】
上記本発明によると、第二領域の分割に伴ってアンテナが切断されるため、分割ラベルの第一領域と第二領域とが分割される前は識別情報の読取りが可能で、第二領域が分割された後は識別情報の読取りが不可能となる。すなわち、アンテナは、特定の周波数の電磁波を受信可能なように所定の長さで形成されているので、切断されることによって、アンテナとして機能しなくなるのである。これにより、例えば、廃棄後のラベルから情報を読取られることを抑制することができる。
【発明を実施するための最良の形態】
【０００９】
以下、本発明の実施の形態を図に基づいて説明する。なお、以下において、薬液用のアンプル等の容器を貼付対象（識別対象）とした説明を行うが、対象はこれに限られることはない。図１及び２に示すのは、本発明の分割ラベル１０が容器Ａに貼付された図である。分割ラベル１０は、ラベル基材１の表面１ａを情報表示面とし、粘着層２を有する裏面１ｂを接着面としている。詳しくは、ラベル基材１は、第一領域１１と第二領域１２とを有し、その境界には切取線１ｃが設けられて分割可能に構成されている。また、表面１ａでは、第一領域１１と第二領域１２のそれぞれに、容器Ａ内の薬液の情報（例えば、製品名、製品情報、製造ロット、使用期限等）が表示されている。分割ラベル１０は、第一領域１１と第二領域１２とが一体の状態で容器Ａに貼付されており、容器Ａ内の薬液が取出される際に、第二領域１２が切取線１ｃにて切り離されて注射器やカルテ等に別途貼付される。なお、本実施形態では、ラベル基材１は２つの領域から構成されているが、第一領域と第二領域とが分割可能であれば領域の数は特には限定されない。なお、図１及び２では、領域の分割に関する説明のため、第二領域１２が容器Ａに貼付されていない図を用いているが、第二領域１２は、分割前において容器Ａに貼付されていてもよく、分割と同時に容器Ａから剥離し、他の対象（注射器やカルテ等）に再度貼付するように構成することができる。この際、粘着層２は、一度貼付しても剥離可能で、且つ剥離後も再貼付可能な再剥離性のものを適宜選択し得る。
【００１０】
ラベル基材１における第一領域１１及び第二領域１２の配置形態は、例えば、図１に示すようにこれらの境界（切取線１ｃ）が容器Ａの軸線方向に沿うように配置したものや、図２に示すようにこれらの境界（切取線１ｃ）が容器Ａの円周方向に沿うように配置したもの等がある。また、領域の分割を行いやすいよう、領域の外縁を延長させたツマミ部を設けることも可能である。なお、粘着物が分割を行う人の手に付着しないよう、ツマミ部の裏面には、粘着層を形成しないか若しくは粘着層を被覆する皮膜を形成することができる。また、当該皮膜の形成は、例えば、粘着層上に印刷を施すことで実現できる。同様に、このような皮膜を用いることで、ツマミ部に限らず裏面の一部に接着力を有しない部位を設けることが可能である。
【００１１】
また、ラベル基材１の裏面１ｂには、以下に説明する非接触型ＩＤタグ（以下、単にＩＤタグともいう）が設置されている。図４に示すように、非接触型ＩＤタグ３は、容器内の薬液の識別情報（ＩＤ）を記憶したＩＣチップ３１と、当該ＩＣチップ３１に接続され、外部機器（外部の読取器Ｒ：図３参照）との間で非接触通信により識別情報（ＩＤ）の送受信を行うアンテナ３２と、を有する。このようなＩＤタグ３を用いることで、より詳細な情報を分割ラベル１０に持たせることが可能となる。
【００１２】
非接触型ＩＤタグ３は、図５に示すように、ＩＣチップ３１及びアンテナ３２を支持するため、これらと一体的に形成された支持シート３３を有した構造とすることができる。アンテナ３２は、平面的なコイルとして構成するため、図５に示すように、支持シート３３の一方の主面で渦巻状に形成されるとともに、他方の主面にて渦巻の中心から外側へ向かって配線が引出されており、これらの両端がＩＤチップ３１のそれぞれの端子に接続されている。また、アンテナ３２は、特定な周波数の電磁波を受信可能な所定の長さとされている。すなわち、非接触型ＩＤタグ３は、アンテナ３２により特定の周波数の電磁波を受信し、誘導磁束による誘起電圧を利用することで交信可能となる電磁誘導方式を用いている。
【００１３】
非接触型ＩＤタグ３と読取器Ｒとの通信は、具体的には、データキャリア方式に従い、読取器Ｒから特定の周波数の電磁波がＩＤタグ３に向けて発信されると、アンテナ３２を介してＩＣチップ３１でその電波が受信される。それに基づき発電回路が起動して所定の発電がなされ、これを電源として発信回路が作動する。発振回路はメモリに記憶されているその容器Ａ内の薬液に関する識別情報（ＩＤ）を読み出し、これを電波によりアンテナ３２から読取器Ｒ側へ出力（発信）する。読取器Ｒがその電波による識別情報を受け取り、これを認識する。そして、認識された識別情報は、例えば、読取器ＲのディスプレイＤに表示される（図３参照）。また、読取器Ｒからの更新情報もアンテナ３２を介してＩＣチップ３１へ送信され、ＩＣチップ３１の記憶情報の更新がされるようになっている。なお、本実施形態では、ＩＣチップ３１は、外部からの電源供給により作動する受動型のチップで構成されているが、電池を内蔵した能動型のチップを用いることも可能である。
【００１４】
アンテナ３２は、図７及び８に示すように、第一領域１１と第二領域１２との境界１ｃを跨いで形成され、第二領域１２が分割されると、それに伴い切断されるよう構成されている。このように構成されることで、第一領域１１と第二領域１２とが分割される前は識別情報の読取りが可能で、第二領域１２が分割された後は識別情報の読取りが不可能となる。すなわち、アンテナ３２は、特定の周波数の電磁波を受信可能なように所定の長さで形成されているので、切断されることによって、アンテナとして機能しなくなるのである。これにより、廃棄後のラベルから情報を読取られることを抑制することができる。また、切り離された第二領域１２は、上述したように、注射器やカルテ等に別途貼付することができ、ラベルとしての表示機能を発揮させることができる。
【００１５】
支持シート３３を有する場合、該支持シート３３がラベル基材１の切取線１ｃを覆ってしまうため、第二領域１２の分割が良好に行われない可能性がある。そこで、支持シート３３には、図７に示すように、第一領域１１と第二領域１２との境界１ｃ上に切取り線３ｃが形成することができる。これにより、第二領域１２の分割を良好に行うことができる。なお、切取り線３ｃは、境界１ｃと完全に重なっている必要はなく、境界１ｃに沿って近接していれば足りる。
【００１６】
支持シート３３の切取り線３ｃの切断部は、アンテナ３２を傷つけないよう、アンテナ３２を避けて形成することが好ましい。すなわち、この場合、アンテナ３２は、図７に示すように、支持シート３３の切取り線３ｃのうちの非切断部（切断部と切断部との間）上に形成されることになる。
【００１７】
または、支持シート３３には、図８に示すように、第一領域１１と第二領域１２との境界１ｃ上の少なくとも一方の端部に切り込み３ｄを形成することもできる。これによっても、第二領域１２の分割を良好に行うことができる。
【００１８】
また、ＩＣチップ３１は、第一領域１１と第二領域１２のどちらに設置されてもよい。ただし、ＩＣチップ３１が境界１ｃ上にあると、第二領域１２の分割を阻害してしまう畏れがあるので、境界１ｃ上に位置しないようにすることが好ましい。
【００１９】
以上のＩＤタグ３は、例えば、図４に示すように設置することができる。すなわち、ラベル基材１の裏面１ｂ上に、当該裏面１ｂ全体を覆う粘着層２と、ＩＤタグ３と、当該ＩＤタグ３を少なくとも覆う被覆粘着層４と、がこの順に形成された構造とすることができる。ＩＤタグ３の面積が大きいと、粘着層２が露出する部分が減少し、容器Ａ（被着体）に対する接着力が十分に得られない場合があるが、このような構造とすることで、ラベル基材１の裏面１ｂ全体が粘着層で覆われることになり、ラベルとしての十分な接着力を得ることができる。
【００２０】
アンテナ３２は、例えば、導線にて構成することもできるし、若しくは導電性インキをパターン印刷したものにて構成することもできる。さらに、アンテナ３２は、ラベル基材１の裏面１ｂと対向する面とは反対側の面（図４では被覆粘着層４に覆われる面）が、当該ラベル基材１の裏面１ｂと同色にて構成することができる。例えば、透明な容器の場合、ラベル基材１の裏面１ｂに設置されたアンテナ３２が貼付部位の裏側から容器Ａを通して視認されてしまうので、外観上好ましくない。そこで、アンテナ３２の裏面１ｂと対向する面とは反対側の面を裏面１ｂと同色とすることで、アンテナ３２を目立たせないようにすることができる。なお、送受信部（アンテナ３２）は、ラベル基材１の裏面１ｂと対向する面とは反対側の面が、ラベル基材１の裏面１ｂと同色であれば足り、その他の部分の色については特には限定されない。
【００２１】
支持シート３３としては、ポリエチレン（ＰＥ）、ポリプロピレン（ＰＰ）、ポリエチレンテレフタレート（ＰＥＴ）などのフィルム基材や、上質紙、合成紙などの紙基材を用いることができる。また、上記のごとく、支持シート３３が貼付部位の裏側から容器Ａを通して視認されないように、支持シート３３は、透明、又はラベル基材１の裏面１ｂと対向する面とは反対側の面が当該ラベル基材１の裏面１ｂと同色にて構成することができる。なお、支持シート３３は、ラベル基材１の裏面１ｂと対向する面とは反対側の面が、ラベル基材１の裏面１ｂと同色であれば足り、その他の部分の色については特には限定されない。
【００２２】
他方、ＩＤタグ３は、例えば、図９に示すように設置することもできる。すなわち、ラベル基材１の裏面１ｂ上に、当該裏面１ｂに直接形成されたＩＤタグ３と、当該裏面１ｂ全体をＩＤタグ３とともに覆う粘着層２と、がこの順に形成された構造とすることができる。この構造は、例えば、ラベル基材１の裏面１ｂ上に、導電性インキによりアンテナ３２をパターン印刷し、ＩＣチップ３１を実装することでＩＤタグ３を形成した後、裏面１ｂ全体を粘着層２によりＩＤタグ３ごと覆うことで実現できる。
【００２３】
また、以上とは逆に、図１１に示すように、アンテナ３２の一部としてＩＣチップ３１の端子間を短絡させる短絡配線９を設け、当該短絡配線９のみを第一領域１１と第二領域１２との境界１ｃを跨いで形成させ、分割に伴い当該短絡配線９が切断されるような構造とすることもできる。このような構造とした場合、上述の機能とは逆に、分割前は、ＩＣチップ３１の両端子は短絡配線９により短絡しているため、識別情報の読取りが不可能となる。他方、分割後は、短絡配線９が切断されるため、アンテナ３２が機能し、識別情報の読取りが可能となる。
【００２４】
次に、本発明の分割ラベルでは、変形例として、図１０に示すように、ＩＤタグ３は、ＩＣチップ３１に接続され、且つ、外部機器との間で接触通信により識別情報（ＩＤ）を送受信可能な、ラベル基材１の表面１ａに露出した接触用端子５１を有するように構成することができる。なお、接続用端子５１は、アンテナ３２から分岐させて設けることもできるし、アンテナ３２とは別途独立にＩＣチップ３１に接続させることもできる。このように構成することで、例えば、ラベル基材１の第二領域１２を分割した後に再度、識別情報（ＩＤ）を読出す必要が生じても、非常の読出し経路としての上記接触用端子５１を用いて、識別情報を読取ることができる。
【００２５】
接触用端子５１は、外部機器（外部の読取器Ｒ：図示せず）との間で接触通信により識別情報（ＩＤ）を送受信可能にする。すなわち、読取器Ｒ側の端子を当該接触用端子５１に接触させることで、ＩＣチップ３１へ電力供給を行い、それと同時に識別情報（ＩＤ）を読取る。電力供給を行った後のＩＣチップ３１の動作は、上記と同様である。
【図面の簡単な説明】
【００２６】
【図１】本発明に係る分割ラベルを対象物に貼付した状態を表す概略図
【図２】図１の分割ラベルの変形例を表す図
【図３】外部機器により識別情報を読取る際の状態を表す概略図
【図４】非接触型ＩＤタグを設置した分割ラベルの断面構造を表す模式図
【図５】非接触型ＩＤタグの構造を表す模式図
【図６】図１の分割ラベルを裏側から見た図
【図７】支持シートの切取線を表す模式図
【図８】支持シートの切り込みを表す模式図
【図９】非接触型ＩＤタグを設置した分割ラベルの断面構造を表す模式図
【図１０】接触型ＩＤタグを別途設置した分割ラベルの断面構造を表す模式図
【図１１】ＩＤタグの形態の変形例を示す図
【符号の説明】
【００２７】
１    ラベル基材
１１  第一領域
１２  第二領域
１ａ  表面
１ｂ  裏面
１ｃ  切取線
２    粘着層
３    非接触型ＩＤタグ
３１  ＩＣチップ
３２  アンテナ
３３  支持シート
３ｃ  切取線
３ｄ  切り込み
４    被覆粘着層
５１  接触用端子
１０，２０，３０    分割ラベル
【図１】
2005258351.tif 000003
【図２】
2005258351.tif 000004
【図３】
2005258351.tif 000005
【図４】
2005258351.tif 000006
【図５】
2005258351.tif 000007
【図６】
2005258351.tif 000008
【図７】
2005258351.tif 000009
【図８】
2005258351.tif 000010
【図９】
2005258351.tif 000011
【図１０】
2005258351.tif 000012
【図１１】
2005258351.tif 000013